(57)【要約】  本発明は可変アレイダブル機能タッチ感応器、ダブル機能タッチコントロール検出システム、ダブル機能タッチモジュールとダブル機能タッチモジュール付きのディスプレイ装置を含む。その中、可変アレイダブル機能タッチ感応器は可変アレイダブル機能タッチ感応アンテナアレイを含み、ダブル機能感応アンテナアレイは相互絶縁を持って設けられた第1方向アンテナアレイグループと第2方向アンテナアレイグループを含む。第1方向アンテナアレイグループは２つ以上の互いに平行する第1方向透明な電気伝導体から構成される。第2方向アンテナアレイグループは２つ以上の互いに平行する第2方向透明な電気伝導体から構成される。最適化する製造方法の中で、この透明な電気伝導体が人目で識別できない極細針金から構成された連続メタルラメを利用し、あるいは酸化インジウムスズ（以下はITOと略称する）を添加し、あるいはナノシルバーワイヤーで形成される。その中、ダブル機能タッチコントロール検出システムは、タッチメインコントロールボード、第1アレイスイッチと第2アレイスイッチを含み、タッチメインコントロールボードは電磁・静電容量切り替え回路、静電容量タッチ信号スキャン検出回路、静電容量タッチ信号スキャン検出回路とプロセッサーから構成される。その中、ダブル機能タッチモジュールは可変アレイダブル機能タッチ感応器とダブル機能タッチコントロール検出システムを含む；その中、ダブル機能タッチモジュール付きのディスプレイ装置はダブル機能タッチモジュールとスクリーンモジュールを含む。
2019509524.tif 000002
【特許請求の範囲】
【請求項１】
第１方向アンテナのアレイグループと第2方向アンテナのアレイグループと、を含み、その中、
前記第１方向アンテナアレイグループはタッチ有効範囲内で１つ以上のダブル機能タッチ感応器アンテナユニットから構成され、タッチ有効範囲外で１つ以上の単一電磁タッチ感応器アンテナユニットから構成され、第２方向アンテナアレイグループはタッチの有効範囲内で１つ以上のダブル機能タッチ感応器アンテナユニットから構成され、タッチ有効範囲外で１つ以上の単一電磁タッチ感応器アンテナユニットから構成され、
前記第１方向アンテナアレイグループと第２方向アンテナアレイグループの方向間に０度より大きい第1夾角があって、かつ前記第１方向アンテナアレイグループと第2方向アンテナアレイグループの間に相互絶縁する
ことを特徴とする可変アレイダブル機能タッチ感応器。
【請求項２】
絶縁基板があって、基板の一面で沈積して形成した第１方向アンテナアレイグループのタッチ感応器アンテナユニット、および絶縁材基板の裏面で沈積して形成した第２方向アンテナアレイグループのタッチ感応器アンテナユニットを含む、
ことを特徴とする請求項１に記載の可変アレイダブル機能タッチ感応器。
【請求項３】
２つの絶縁材基板があって、それぞれ第１絶縁基板と第２絶縁基板とし、第１絶縁基板の一面で沈積して形成した第１方向アンテナアレイグループのタッチ感応器アンテナユニットと、第２絶縁基板の一面で沈積して形成した第２方向アンテナアレイグループのタッチ感応器アンテナユニットとは、第１絶縁基板と第２絶縁基板のもう一面が透明接着剤で一体に粘着される、
ことを特徴とする請求項１に記載の可変アレイダブル機能タッチ感応器。
【請求項４】
可変アレイダブル機能タッチ感応器のタッチ有効範囲内のアンテナユニットが人目で識別できない線幅３０ミクロン以下の極細い銅、あるいは銀、あるいはアルミニウム、あるいはモリブデン、あるいはクロム、あるいはニッケル、あるいは鉄、あるいは合金の針金で構成される連続メタルラスで充填される、
ことを特徴とする請求項１に記載の可変アレイダブル機能タッチ感応器。
【請求項５】
可変アレイダブル機能タッチ感応器のタッチ有効範囲内のアンテナユニットに充填された連続メタルラスは正方形、或いはひし形、或いは四辺形、或いは不規則な繊維編み形、或いは不規則な多角形である、
ことを特徴とする請求項１または４に記載の可変アレイダブル機能タッチ感応器。
【請求項６】
可変アレイダブル機能タッチ感応器のタッチ有効範囲内のアンテナユニットは従来のITO透明な導電材料、或いはナノシルバーワイヤーの透明な導電材料、或いは他の透明導電材料である、
ことを特徴とする請求項１または４に記載の可変アレイダブル機能タッチ感応器。
【請求項７】
可変アレイダブル機能タッチ感応器のタッチ有効範囲内のアンテナユニットの図形は長方形、或いは口の字形、或いは台形、或いは直列のひし形、あるいは直列の矩形、或いは均一分布の任意図形である、
ことを特徴とする請求項１、４〜６のいずれか１項に記載の可変アレイダブル機能タッチ感応器。
【請求項８】
タッチ有効範囲外のタッチアンテナユニットは単一電磁タッチモデルに用いられる電磁タッチ感応器アンテナユニットであり、不透明で幅が１ミリメートル以下の低インピーダンス金属導線である、
ことを特徴とする請求項１、４〜７のいずれか1項に記載の可変アレイダブル機能タッチ感応器。
【請求項９】
タッチメインコントロールボード、第１アレイスイッチ、第２アレイスイッチを含み、その中、
前記タッチメインコントロールボードはプロセッサー、信号切り替え回路、静電容量タッチ信号スキャン検出回路、電磁タッチ信号スキャン検出回路から構成され、
第１アレイスイッチは、１つ以上のクロスオーバーコーディングスイッチを含み、
第２アレイスイッチは、１つ以上のクロスオーバーコーディングスイッチを含み、
その中、
第１アレイスイッチと第２アレイスイッチの可変アレイスイッチの切り替えコントロールバスはタッチメインコントロールボードに接続され、
第１方向アンテナアレイグループの上端は第１アレイスイッチに接続し、第２方向アンテナアレイグループの右端は第２アレイスイッチに接続し、
第１方向アンテナアレイグループの下端と第２方向アンテナアレイグループの左端はタッチメインコントロールボードのインプットシグナルバス接続する、
ことを特徴とするダブル機能タッチコントロール検出システム。
【請求項１１】
タッチメインコントロールボードはインプットシグナルバスを通し、第１アレイスイッチ内のクロスオーバーコーディングスイッチに対する全部オフ操作と第２アレイスイッチ内のクロスオーバーコーディングスイッチの全部オフ操作を実施することができて、可変アレイダブル機能タッチ感応器は静電容量タッチアンテナアレイに変換できる、
ことを特徴とする請求項１０に記載のダブル機能タッチコントロール検出システム。
【請求項１２】
タッチメインコントロールボードはインプットシグナルバスを通し、第１アレイスイッチ内のクロスオーバーコーディングスイッチに対する全部オン操作と第２アレイスイッチ内のクロスオーバーコーディングスイッチの全部オン操作を実施することができて、可変アレイダブル機能タッチ感応器は電磁タッチアンテナアレイに変換できる、
ことを特徴とする請求項１０に記載のダブル機能タッチコントロール検出システム。
【請求項１３】
ダブル機能タッチメインコントロールボードと第１アレイスイッチと第２アレイスイッチは一つのチップに集積される、
ことを特徴とする請求項１０〜１２のいずれか１項に記載のダブル機能タッチコントロール検出システム。
【請求項１４】
ダブル機能タッチメインコントロールボードは１つのチップに集積され、第１アレイスイッチと第２アレイスイッチはもう一つのチップに集積される、
ことを特徴とする請求項１０〜１２のいずれか１項に記載のダブル機能タッチコントロール検出システム。
【請求項１５】
ダブル機能タッチメインコントロールボード、第１アレイスイッチ、第２アレイスイッチはそれぞれ１つのチップに集積される、
ことを特徴とする請求項１０〜１２のいずれか１項に記載のダブル機能タッチコントロール検出システム。
【請求項１６】
請求項１〜８のいずれか１項に記載の可変アレイダブル機能タッチ感応器と請求項９〜１５のいずれか１項に記載のダブル機能タッチコントロール検出システムを含む、
ことを特徴とするダブル機能タッチモジュール。
【請求項１７】
請求項１６に記載のダブル機能タッチモジュール、スクリーン透明パネルとスクリーンモジュールを含む、
ことを特徴とするダブル機能タッチモジュール付きのダブル機能タッチディスプレイ装置。
【請求項１８】
ダブル機能タッチモジュールがスクリーン透明パネルとスクリーンモジュールの間に設けられる、
ことを特徴とする請求項１７に記載のダブル機能タッチディスプレイ装置。
【発明の詳細な説明】
【技術分野】
【０００１】
本発明は可変アレイダブル機能タッチ感応器、ダブル機能タッチコントロール検出システムに関し、特にダブル機能タッチモジュールとタッチディスプレイ装置に関するものである。
【背景技術】
【０００２】
タッチ技術の発展に従って、人々の日常の仕事と生活にたくさんの便利を持ってくる。ユーザーが手あるいはその他の媒質でタッチパネルを触って直接に情報を入力できるため、他の入力設備に対する依存を減少し、ひいては取り除き、ユーザーの操作に便宜を図った。しかし、タッチ方法によってその使用範囲も多大な制限を受けている。静電容量タッチ操作機能は手によるタッチコントロール操作に対応し、電磁タッチ操作機能は電磁ペンによるタッチ操作と元筆跡手書き操作に対応する。しかし、これらのタッチ機能付きの製品はそれぞれ静電容量タッチ感応器モジュールと電磁タッチ感応器モジュールに対応しなければならなくて、2セットのタッチ感応器モジュールが必要とする。このような構造は厚くて、複雑で、コストが高く、市場の展開に不便である。
【０００３】
同時に、各種のタッチ方法も多くの欠点が存在する。静電容量パネルはマルチポイントタッチとペンタッチ機能を実現できるが、ペンと手のタッチに対する反応スピードが遅く、解像度が低い。しかも位置検出の精度も低いという欠点が存在する。電磁パネルは大きいサイズで幅広く応用でき、位置検出の正確さも高いが、マルチポイントタッチを実現できず、人と機械のインタラクティブを実現できない。
【発明の概要】
【０００４】
前記の欠陥を克服するため、本発明は可変アレイダブル機能タッチ感応器を提供し、同一のタッチ感応器モジュールを使用し、その上1つのタッチ感応器モジュールの同じタッチ感応器アンテナユニットを使用する。2グループのアレイスイッチのそれぞれオン・オフの切替を通じてタッチ感応器アンテナユニットを変え、タッチ感応器を静電容量タッチアンテナアレイ式、或いは電磁タッチアンテナアレイ式にする。それによって静電容量タッチ手操作機能と電磁のペンタッチ操作と元筆跡手書き操作機能ともに実現し、また高度集積化のダブル機能タッチコントロール処理システムの集積チップとダブルタッチ機能付きのタッチディスプレイ装置を提出した。本発明のデバイスには厚さが薄く、構造が簡単で、コストがやすいという長所がある。
【０００５】
本発明の可変アレイダブル機能タッチ感応器は第1方向アンテナアレイグループと第2方向アンテナアレイグループから構成され、第1方向アンテナアレイグループはタッチ有効範囲内で１つ以上のダブル機能タッチ感応器アンテナユニットから構成され、タッチ有効範囲外で１つ以上の単一電磁タッチ感応器アンテナユニットから構成される。第2方向アンテナアレイグループはタッチ有効範囲内で１つ以上のダブル機能タッチ感応器アンテナユニットから構成され、タッチ有効範囲外で１つ以上の単一電磁タッチ感応器アンテナユニットから構成される。
【０００６】
第1方向アンテナアレイグループと第2方向アンテナアレイグループの方向間に0度より大きい第1夾角があって、かつ前記第1方向アンテナアレイグループと第2方向アンテナアレイグループの間は相互絶縁する。
【０００７】
本発明の可変アレイダブル機能タッチ感応器は1つの絶縁基板を使用でき、基板の一面に第1方向アンテナアレイグループのタッチ感応器アンテナユニットを沈積して形成し、絶縁材基板のもう一面に第2方向アンテナアレイグループのタッチ感応器アンテナユニットを沈積して形成する。
【０００８】
本発明の可変アレイダブル機能タッチ感応器は、二枚の絶縁材基板を使用することもできて、第1絶縁基板の一面に第1方向アンテナアレイグループのタッチ感応器アンテナユニットを沈積して形成し、第2絶縁基板の一面に第2方向アンテナアレイグループのタッチ感応器アンテナユニットを沈積して形成し、また透明接着剤で第1絶縁基板と第2絶縁基板を粘着して一体にする。
【０００９】
可変アレイダブル機能タッチ感応器のタッチ有効範囲内のアンテナユニットは人目で識別できない30ミクロンの極細い銅、あるいは銀、あるいはアルミニウム、あるいはモリブデン、あるいはクロム、あるいはニッケル、あるいは鉄、あるいは合金の針金で構成されるメタルラスで充填される。
【００１０】
可変アレイダブル機能タッチ感応器のタッチ有効範囲内のアンテナユニットに充填された連続メタルラスは正方形、或いはひし形、或いは四辺形、或いは不規則な繊維編み形、或いは不規則な多角形である。
【００１１】
可変アレイダブル機能タッチ感応器のタッチ有効範囲内のアンテナユニットは従来のITO透明な導電材料、或いはナノシルバーワイヤー透明な導電材料、或いは他の透明な導電材料である。
【００１２】
可変アレイダブル機能タッチ感応器のタッチ有効範囲内のアンテナユニットの図形は長方形、或いは口の字形、或いは台形、或いは直列のひし形、あるいは直列の矩形、或いは一様分布の任意の図形である。
【００１３】
タッチ有効範囲外のタッチアンテナユニットは単一電磁タッチモデルに用いられる電磁タッチ感応器アンテナユニットが不透明で幅が1ミリメートル以下の低インピーダンス金属導線である。
【００１４】
本発明のダブル機能タッチコントロール検出システムはタッチメインコントロールボードと第1アレイスイッチと第2アレイスイッチから構成される。タッチメインコントロールボードはプロセッサー、信号切り替え回路、静電容量タッチ信号スキャン検出回路、電磁タッチ信号スキャン検出回路から構成される。第1アレイスイッチ内に１つ以上のクロスオーバーコーディングスイッチを含み、第2アレイスイッチ内に１つ以上のクロスオーバーコーディングスイッチを含む。第1アレイスイッチと第2アレイスイッチの可変アレイスイッチの切り替えコントロールバスはタッチメインコントロールボードに接続される。第1方向アンテナアレイグループの上端は第1アレイスイッチに接続し、第2方向アンテナアレイグループの右端は第2アレイスイッチに接続される。第1方向アンテナアレイグループの下端と第2方向アンテナアレイグループの左端はタッチメインコントロールボードのインプットシグナルバスに接続される。
【００１５】
本発明のダブル機能タッチコントロール検出システムのタッチメインコントロールボードはインプットシグナルバスを通じて第1アレイスイッチ内のクロスオーバーコーディングスイッチの全部オフ機能と、第2アレイスイッチ内のクロスオーバーコーディングスイッチの全部オフ機能を制御することで、可変アレイダブル機能タッチ感応器を静電容量タッチアンテナアレイに変える。
【００１６】
本発明のダブル機能タッチコントロール検出システムのタッチメインコントロールボードはインプットシグナルバスを通じて第1アレイスイッチ内のクロスオーバーコーディングスイッチの全部オン機能と、第2アレイスイッチ内のクロスオーバーコーディングスイッチの全部オン機能を制御することで、可変アレイダブル機能タッチ感応器を電磁タッチアンテナアレイに変える。
【００１７】
本発明のダブル機能タッチコントロール検出システムのダブル機能タッチメインコントロールボード、第1アレイスイッチと第2アレイスイッチは、一つのチップに集積できる。
【００１８】
本発明のダブル機能タッチコントロール検出システムのダブル機能タッチメインコントロールボードは一つのチップに、第1アレイスイッチと第2アレイスイッチがもう一つのチップに集積できる。
【００１９】
本発明のダブル機能タッチコントロール検出システムのダブル機能タッチメインコントロールボード、第1アレイスイッチ、第2アレイスイッチはそれぞれ、一つのチップに集積できる。
【００２０】
本発明のダブル機能タッチモジュールは可変アレイダブル機能タッチ感応器とダブル機能タッチコントロール検出システムから構成される。
【００２１】
本発明のダブル機能タッチモジュール付きのダブル機能タッチディスプレイ装置はダブル機能タッチモジュールとスクリーン透明パネルとスクリーンモジュールから構成される。ダブル機能タッチモジュールはスクリーン透明パネルとスクリーンモジュールの間に設けられる。
【図面の簡単な説明】
【００２２】
【図１】本発明のダブル機能タッチモジュールを示す図である。
【図２】本発明のダブル機能タッチモジュールを示す図である。
【図３】本発明のダブル機能タッチ感応アンテナアレイを示す図である。
【図４】本発明のダブル機能タッチ第1方向アンテナアレイを示す図である。
【図５】本発明のダブル機能タッチ第2方向アンテナアレイを示す図である。
【図６】本発明の静電容量タッチアンテナアレイを示す図である。
【図６．１】本発明の静電容量タッチアンテナアレイを示す図である。
【図６．２】本発明の静電容量タッチアンテナアレイを示す図である。
【図７】本発明の電磁タッチアンテナアレイを示す図である。
【図７．１】本発明の電磁タッチアンテナアレイを示す図である。
【図７．２】本発明の電磁タッチアンテナアレイを示す図である。
【図８．１】本発明の等価回路図を示す図である。
【図８．２】本発明の等価回路図を示す図である。
【図８．３】本発明の等価回路図を示す図である。
【図８．４】本発明の等価回路図を示す図である。
【図９．１】本発明の等価回路図を示す図である。
【図９．２】本発明の等価回路図を示す図である。
【図９．３】本発明の等価回路図を示す図である。
【図９．４】本発明の等価回路図を示す図である。
【図１０】本発明のダブル機能タッチモジュールの１層材料構造を示す図である。
【図１１】本発明のダブル機能タッチモジュールの２層材料構造を示す図である。
【図１２】本発明のダブル機能タッチ感応アンテナアレイのアンテナユニットのメタルラスを示す図である。
【図１３】本発明のダブル機能タッチ感応アンテナアレイのアンテナユニットを示す図である。
【図１４】本発明のタッチディスプレイ装置の構造を示す図である。
【発明を実施するための形態】
【００２３】
本発明の可変アレイダブル機能タッチ感応器（図3）は第1方向アンテナアレイグループ（図4）と第2方向アンテナアレイグループ（図5）から構成される。第1方向アンテナアレイグループ（図4）はタッチ有効範囲内に１つ以上のダブル機能タッチ感応器アンテナユニット（401）から構成され、タッチ有効範囲外に１つ以上の単一電磁タッチ感応器アンテナユニット（402）から構成される。第2方向アンテナアレイグループ（図5）はタッチ有効範囲内に１つ以上のダブル機能タッチ感応器アンテナユニット（501）から構成され、タッチ有効範囲外に１つ以上の単一電磁タッチ感応器アンテナユニット(502)から構成される。
【００２４】
第1方向アンテナアレイグループ（図4）と第2方向アンテナアレイグループ（図5）の方向間に0度より大きい第1夾角があって、かつ前記第1方向アンテナアレイグループ（図4）と第2方向アンテナアレイグループの間（図5）に相互絶縁する。
【００２５】
図10は本発明の可変アレイダブル機能タッチ感応器（図3）の一種の実施構造を示す。それは第1絶縁材基板（600）の一面に、第1方向アンテナアレイグループ（図4）のタッチ感応器アンテナユニット（401と402）を沈積して形成する。それから第1絶縁材基板（600）のもう一面に第2方向アンテナアレイグループ(図5)のタッチ感応器アンテナユニット（501と502）を沈積して形成する。このように１層絶縁基板をキャリヤーにして本発明の可変アレイダブル機能タッチ感応器を構成する。
【００２６】
図11は本発明の可変アレイダブル機能タッチ感応器（図3）のもう一種の実施構造を示す。それは第1絶縁基板（601）と第2絶縁基板（602）の2つの絶縁材基板を使用し、第1絶縁基板（601）の一面に第1方向アンテナアレイグループ（図4）のタッチ感応器アンテナユニット（401と402）を沈積して形成し、第2絶縁基板（602）の一面に第2方向アンテナアレイグループ（図5）のタッチ感応器アンテナユニット（501と502）を沈積して形成する。それから透明接着剤（701）で第1絶縁基板（601）と第2絶縁基板（602）を一体に接着して、これによって本発明の可変アレイダブル機能タッチ感応器を構成する。
【００２７】
図12は本発明の可変アレイダブル機能タッチ感応器（図3）のタッチ有効範囲内のアンテナユニットの優先材料は人目で識別できない30ミクロン以下の極細い銅、あるいは銀、あるいはアルミニウム、あるいはモリブデン、あるいはクロム、あるいはニッケル、あるいは鉄、あるいは合金の針金で充填されたメタルラスの導電材料であることを示す。この連続メタルラスは正方形(801)でよいが、ダブル機能タッチモジュールアンテナユニットの金属ラスを構成するラスの周期と背面スクリーン画素の周期の光干渉によって形成されたモル現象を取り除き、ダブル機能タッチモジュール(332)の背面ディスプレイジュールの画像効果を影響しないために、発明者は探索と研究と実験を経て、本発明の連続メタルラスの導電材料のミクロ図形はひし形(804)、四辺形(802)、不規則な繊維編み形(803)、不規則な多角形としてもよい。このような低抵抗のメタルラスから構成されるタッチ感応アンテナのインピーダンスはきわめて低く、ＳＮ比はとても高く、タッチ操作が鋭敏で良くて、100インチ以上の超大サイズの可変アレイダブル機能タッチ感応器の設計に応用することを実現できる。
【００２８】
本発明の可変アレイダブル機能タッチ感応器（図3）のタッチ有効範囲内のアンテナユニット(401と501)は従来のITOと低いインピーダンスのナノシルバーワイヤー透明導電材料と他の透明な導電材料を優先的に使用できる。
【００２９】
図13は本発明の可変アレイダブル機能タッチ感応器（図3）のタッチ有効範囲内のアンテナユニットの図形を示す。長方形（901）、口の字形（902）、台形（903）、直列のひし形（904）、直列の矩形（905）等、均一分布の任意図形で使用可能である。
【００３０】
本発明の可変アレイダブル機能タッチ感応器（図3）のタッチ有効範囲外のタッチアンテナユニットは単一電磁タッチモデルに用いられる電磁タッチ感応器アンテナユニットであり、不透明で幅1ミリメートル以下の低インピーダンス金属導線（402と502）である。このようにして、タッチ範囲外の配線空間を節約できて、ダブル機能タッチ感応器（図3）の配線設計に貢献できる。
【００３１】
図10〜図14は最も簡単なアンテナアレイグループの構造を示している。その他の構造は前記の回路構造と同じで、ここでは贅言しない。
【００３２】
本発明のダブル機能タッチコントロール検出システムはメインコントロールボード（100）、第1アレイスイッチ（200）、第2アレイスイッチ（300）から構成される。タッチメインコントロールボード（100）は、プロセッサー（101）、信号切り替え回路(114)、静電容量タッチ信号スキャン検出回路（107）、電磁タッチ信号スキャン検出回路（108）から構成される。第1アレイスイッチ(200)は、１つ以上のクロスオーバーコーディングスイッチ(201)を含み、第2アレイスイッチ(300)は、１つ以上のクロスオーバーコーディングスイッチ(301)を含む。
【００３３】
第1方向アンテナアレイグループ（図4）のXj1〜Xj26は第1アレイスイッチ200に接続し、第2方向アンテナアレイグループ（図5）のYj1〜Yj22は第2アレイスイッチ300に接続する。
【００３４】
第1方向アンテナアレイグループ（図4）のXs1〜Xs26と第2方向アンテナアレイグループ（図5）のYs1〜Ys22はタッチメインコントロールボード(100)のインプットシグナルバス102に接続する。
【００３５】
第1アレイスイッチ200と第2アレイスイッチ300は可変アレイスイッチを通して制御バス114を切り替えてタッチメインコントロールボード100に接続する。
【００３６】
最適化したタッチメインコントロールボード（100）はインプットシグナルバス（114）を通じて、第1アレイスイッチ(200)内のクロスオーバーコーディングスイッチ(201)を全部オフにして、第1アレイスイッチ（200）の等価回路図は図8.1で、図8.1の等価回路図は図8.4、すなわちXj1〜Xj26が浮き、第1方向アンテナアレイグループ（図4）は静電容量タッチ第1方向アンテナアレイグループ（図6.1）に変える。タッチメインコントロールボード100はインプットシグナルバス114を通じて第2アレイスイッチ(300)内のクロスオーバーコーディングスイッチ(301)を全部オフにして、第2アレイスイッチ(300)の等価回路図は図9.1で、図9.1の等価回路図は図9.4、すなわちYj1〜Yj22が浮き、第2方向アンテナアレイグループ（図5）は静電容量タッチ第2方向アンテナアレイグループ（図6.2）に変える。第1方向アンテナアレイグループ（図4）と第2方向アンテナアレイグループ（図5）は静電容量タッチアレイグループに変え、すなわち可変アレイダブル機能タッチ感応器（図3）を静電容量タッチアンテナアレイ（図6）に変えられる。第1アレイスイッチ(200)内のクロスオーバーコーディングスイッチ201全部オフにし、Xj1〜Xj26が浮き、第1方向アンテナアレイグループ（図4）は静電容量タッチ第1方向アンテナアレイグループ（図6.1）に変え、同時に静電容量タッチ第1方向アンテナアレイグループXs1〜Xs26がタッチメインコントロールボード(100)のインプットシグナルバス(102)に対して静電容量タッチ信号を出力する。第2アレイスイッチ(300)内のクロスオーバーコーディングスイッチ301全部オフにし、Yj1〜Yj22が浮き、第2方向アンテナアレイグループ（図5）は静電容量タッチ第2方向アンテナのアレイグループ（図6.2）に変え、同時に静電容量タッチ第2方向アンテナアレイグループ（図6.2）Xs1〜Xs22がタッチメインコントロールボード100のインプットシグナルバス(102)に対して静電容量タッチ信号を入力する。
【００３７】
最適化したタッチメインコントロールボード（100）はインプットシグナルバス（114）を通じて、第1アレイスイッチ(200)内のクロスオーバーコーディングスイッチ(201)を全部オンにして、第1アレイスイッチ（200）の等価回路図は図8.2で、図8.2の等価回路図は図8.3、すなわちXj1〜Xj26はクロスオーバースイッチにより離れたものがクロスオーバーされる。第1方向アンテナアレイグループ（図4）は電磁タッチ第1方向アンテナアレイグループ（図7.1）に変える。タッチメインコントロールボード（100）はインプットシグナルバス114を通じて第2アレイスイッチ(300)内のクロスオーバーコーディングスイッチ(301)を全部オンにして、第2アレイスイッチ(300)の等価回路図は図9.2で、図9.2の等価回路図は図9.3、すなわちYj1〜Yj22はクロスオーバースイッチにより離れたものがクロスオーバーされる、第2方向アンテナアレイグループ（図5）は静電容量タッチ第2方向アンテナアレイグループ（図7.2）に変える。第1方向アンテナアレイグループ（図4）と第2方向アンテナアレイグループ（図5）は電磁タッチアレイグループに変え、すなわち可変アレイダブル機能タッチ感応器（図3）を電磁タッチアンテナアレイ（図7）に変えられる。前述第1アレイスイッチ(200)内のクロスオーバーコーディングスイッチ（201）全部オンにし、Xj1〜Xj26はクロスオーバースイッチにより離れたものがクロスオーバーされる。第1方向アンテナアレイグループ（図4）は電磁タッチ第1方向アンテナアレイグループ（図7.1）に変え、同時に電磁タッチ第1方向アンテナアレイグループ（図7.1）Xs1〜Xs26がタッチメインコントロールボード(100)のインプットシグナルバス(102)に対して電磁タッチ信号を出力する。第2アレイスイッチ(300)内のクロスオーバーコーディングスイッチ301全部オンにし、Yj1〜Yj22はクロスオーバースイッチにより離れたものがクロスオーバーされる。第2方向アンテナアレイグループ（図5）は電磁タッチ第2方向アンテナのアレイグループ（図7.2）に変え、同時に電磁タッチ第2方向アンテナアレイグループ（図7.2）Xs1〜Xs22がタッチメインコントロールボード（100）のインプットシグナルバス(102)に対して電磁タッチ信号を入力する。
【００３８】
本発明のダブル機能タッチコントロール検出システムについて、そのタッチメインコントロールボード（100）は、可変アレイダブル機能タッチ感応器（図3）を静電容量タッチアンテナアレイ（図6）に変えると同時に、タッチメインコントロールボード（100）のインプットシグナルバス(102)の静電容量タッチ信号(105)は静電容量タッチ信号スキャン検出回路(107)に切り替えられる。静電容量タッチ信号スキャン検出回路(107)はアレイスキャンバス111の制御のもとで静電容量タッチ信号(109)を復調し、またプロセッサー(101)は静電容量タッチ信号(109)を静電容量タッチの対応する信号(112)に処理して、周辺装置のインターフェイス(113)に送り、これで可変アレイダブル機能タッチ感応器（図3）から静電容量タッチアンテナアレイ（図6）への変換、静電容量タッチ信号の切り替え、スキャン検出と処理の全部プロセスを実現できた。そのタッチメインコントロールボード（100）は、可変アレイダブル機能タッチ感応器（図3）を電磁タッチアンテナアレイ（図7）に変えると同時に、タッチメインコントロールボード（100）のインプットシグナルバス(102)の電磁タッチ信号(106)は電磁タッチ信号スキャン検出回路(108)に切り替えられる。電磁タッチ信号スキャン検出回路(108)はアレイスキャンバス（111）の制御のもとで静電容量タッチ信号(110)を復調し、またプロセッサー(101)は電磁タッチ信号(110)を電磁タッチの対応する信号(112)に処理して、周辺装置のインターフェイス(113)に送り、これで可変アレイダブル機能タッチ感応器（図3）から電磁タッチアンテナアレイ（図7）への変換、電磁タッチ信号の切り替え、スキャン検出と処理の全部プロセスを実現できた。
【００３９】
最適化されたダブル機能タッチメインコントロールボード（100）、第1アレイスイッチ（200）、第2アレイスイッチ(300)は一つのチップに集積する。
【００４０】
最適化されたダブル機能タッチメインコントロールボード(100)は、一つのチップに集積し、第1アレイスイッチ(200)と第2アレイスイッチ(300)はもう一つのチップに集積する。
【００４１】
最適化されたダブル機能タッチメインコントロールボード(100)、第1アレイスイッチ(200)、第2アレイスイッチ(300)はそれぞれ一つのチップに集積する。
【００４２】
本発明はダブル機能タッチモジュール（332）を開示する。その中、前記の可変アレイダブル機能タッチ感応器（図3）とダブル機能タッチコントロール検出システムを含む。
【００４３】
本発明はダブル機能タッチモジュール（332）付きのタッチディスプレイ装置(図15)を開示する。その中、前記のダブル機能タッチモジュール（332）、スクリーン透明パネル（331）とスクリーンモジュール(333)を含み、ダブル機能タッチモジュール（332）はスクリーン透明パネル（331）とスクリーンモジュール(333)の間に設けられる。
【図１】
2019509524.tif 000003
【図２】
2019509524.tif 000004
【図３】
2019509524.tif 000005
【図４】
2019509524.tif 000006
【図５】
2019509524.tif 000007
【図６】
2019509524.tif 000008
【図６．１】
2019509524.tif 000009
【図６．２】
2019509524.tif 000010
【図７】
2019509524.tif 000011
【図７．１】
2019509524.tif 000012
【図７．２】
2019509524.tif 000013
【図８．１】
2019509524.tif 000014
【図８．２】
2019509524.tif 000015
【図８．３】
2019509524.tif 000016
【図８．４】
2019509524.tif 000017
【図９．１】
2019509524.tif 000018
【図９．２】
2019509524.tif 000019
【図９．３】
2019509524.tif 000020
【図９．４】
2019509524.tif 000021
【図１０】
2019509524.tif 000022
【図１１】
2019509524.tif 000023
【図１２】
2019509524.tif 000024
【図１３】
2019509524.tif 000025
【図１４】
2019509524.tif 000026
【国際調査報告】
2019509524.tif 000027
2019509524.tif 000028
2019509524.tif 000029
2019509524.tif 000030
2019509524.tif 000031